(57)【要約】【課題】５．１チャンネルの音声信号を２チャンネルの音声信号にダウンミキシングするときに用いるパラメータの設定にかかる操作を簡略化し、且つ使い勝手を向上させた音声信号処理装置を提供する。【解決手段】音声信号処理装置１は、入力された５．１ｃｈのディジタル音声信号をダウンミックスした２ｃｈの音声信号を３系統生成し、出力する。ダウンミックスの際に使用するパラメータは。各系統毎に設定されている。このため、異なるパラメータ設定でダウンミキシングした３系統の２ｃｈの音声信号の聞き比べが簡単に行え、自分の嗜好にあった音質が得られるパラメータを簡単に確認できる。【選択図】図１
2004241853.tif 000002
【特許請求の範囲】
【請求項１】
本体に入力された５．１チャンネルのディジタル音声信号を処理する音声信号処理部と、
本体から出力する音声信号のチャンネル数を５．１チャンネル、または２チャンネルのいずれかに設定する設定手段と、を備え、
上記音声信号処理部は、５．１チャンネルの音声信号を２チャンネルの音声信号にダウンミキシングするダウンミキシング機能を有し、上記設定手段により設定された本体から出力する音声信号のチャンネル数が２チャンネルである場合、このダウンミキシング機能でダウンミキシングした２チャンネルの音声信号を出力する音声信号処理装置において、
上記音声信号処理部は、上記設定手段により設定された本体から出力する音声信号のチャンネル数が２チャンネルである場合、２チャンネルの音声信号を３系統出力し、
上記３系統の２チャンネルの音声信号について、上記ダウンミキシング機能が５．１チャンネルの音声信号を２チャンネルの音声信号にダウンミキシングするときに用いるパラメータを個別に設定するパラメータ設定手段と、
上記３系統の２チャンネルの音声信号の中から、いずれかの音声信号の選択を受け付け、選択された系統の２チャンネルの音声信号を出力端子に出力する選択手段と、を備え、
さらに、上記音声信号処理部には、上記３系統の２チャンネルの音声信号について、個別に上記ダウンミキシング機能が設けられている音声信号処理装置。
【請求項２】
本体に入力された５．１チャンネルのディジタル音声信号を処理する音声信号処理部と、
本体から出力する音声信号のチャンネル数を５．１チャンネル、または２チャンネルのいずれかに設定する設定手段と、を備え、
上記音声信号処理部は、５．１チャンネルの音声信号を２チャンネルの音声信号にダウンミキシングするダウンミキシング機能を有し、上記設定手段により設定された本体から出力する音声信号のチャンネル数が２チャンネルである場合、このダウンミキシング機能でダウンミキシングした２チャンネルの音声信号を出力する音声信号処理装置において、
上記音声信号処理部は、上記設定手段により設定された本体から出力する音声信号のチャンネル数が２チャンネルである場合、２チャンネルの音声信号を３系統出力し、
上記３系統の２チャンネルの音声信号について、上記ダウンミキシング機能が５．１チャンネルの音声信号を２チャンネルの音声信号にダウンミキシングするときに用いるパラメータを個別に設定するパラメータ設定手段を備えた音声信号処理装置。
【請求項３】
上記３系統の２チャンネルの音声信号の中から、いずれかの音声信号の選択を受け付け、選択された系統の２チャンネルの音声信号を出力端子に出力する選択手段を備えた請求項２に記載の音声信号処理装置。
【請求項４】
上記音声信号処理部には、上記３系統の２チャンネルの音声信号について、個別に上記ダウンミキシング機能が設けられている請求項２、または３に記載の音声信号処理装置。
【発明の詳細な説明】
【０００１】
【発明の属する技術分野】
この発明は、本体に入力された５．１チャンネルのディジタル音声信号を処理し、チャンネル毎に音声信号を出力する音声信号処理装置に関し、特に５，１チャンネルの音声信号を２チャンネルの音声信号にダウンミキシングするダウンミキシング機能を有する音声信号処理装置に関する。
【０００２】
【従来の技術】
従来、受信したディジタル放送信号から選択されているチャンネルで放送されている番組の映像信号、および音声信号を出力する受信装置（所謂、Ｓｅｔ  Ｔｏｐ  Ｂｏｘ（ＳＴＢ））や、本体にセットされたＤＶＤ（Ｄｉｇｉｔａｌ  Ｖｅｒｓａｔｉｌｅ  Ｄｉｓｋ）を再生するＤＶＤプレイヤには、ドルビーディジタル５．１ｃｈ（５．１ｃｈのディジタルサラウンド）に対応したものがあった。ドルビーディジタル５．１ｃｈは、視聴者に対して前方の左右両側、後方の左右両側、正面（センタ）、およびサブウーファーの６つのスピーカで構成されたサラウンドスピーカシステムにおいて、各スピーカから出力される音声により、臨場感あふれるＡＶ環境を視聴者に提供するものである。
【０００３】
上述の装置には、入力された５．１ｃｈのディジタル音声信号を処理し、チャンネル毎にアナログ音声信号を出力する音声信号処理装置が適用されている。また、一般的な従来の音声信号処理装置には、入力された５．１ｃｈのディジタル音声信号を、２ｃｈのステレオ音声信号（アナログ音声信号）にダウンミキシングするダウンミキシング機能が設けられている。
【０００４】
ダウンミキシング機能を有する装置としては、例えば特許文献１に示されている。特許文献１には、６．１ｃｈのディジタル音声信号を、５．１ｃｈや４．１ｃｈの音声信号にダウンミキシングする構成が記載されている。
【０００５】
【特許文献１】
特開２００１−３５２５９９号公報
【０００６】
【発明が解決しようとする課題】
しかしながら、５．１ｃｈのサラウンドで視聴するには、６つのスピーカが必要になり、これらのスピーカを配置するために、大きなスペースが必要になる。また、６つのスピーカの購入にかかる費用も高価であることから、ドルビーディジタル５．１ｃｈに対応している受信装置を所有しているユーザであっても、２ｃｈ（ステレオ）で視聴するユーザが少なくない。
【０００７】
一方、５．１ｃｈの音声信号を２ｃｈの音声信号にダウンミキシングする場合、セリフ等を聞き取りやすくするためにセンタスピーカの音声信号を大きめにしたいとか、重低音の迫力ある音声で視聴するためにサブウーファーの音声信号を大きめにしたい等、ユーザの嗜好が様々である。このようなユーザの嗜好に対応するために、単にダウンミキシングの際に用いるパラメータ（センタスピーカの音声信号を大きめするとか、サブウーファーの音声信号を大きめにするパラメータ等）をユーザが自由に設定できるように構成しても、これらのパラメータの設定において、ユーザがこれらのパラメータを変更しながらダウンミキシングされた音声を聞き比べ、自分の嗜好にあった音声が得られるパラメータを確認しなければならない。このため、これらのパラメータの設定において、何度も同じ設定をすることがあり、自分の嗜好にあった２ｃｈの音声で視聴するためのパラメータ設定にかかる操作が煩雑になるという問題がある。例えば、設定Ａで視聴した音声と、次に設定Ｂで視聴した音声と、聞き比べ、さらに設定Ｃで音声を視聴したときに、設定Ａと設定Ｃとのどちらが自分の嗜好にあっているのか確認できず再度設定Ａで音声を視聴するというように、何度も同じ設定を繰り返すことがある。
【０００８】
また、音楽、映画等、コンテンツのジャンルが異なる場合、同じユーザであっても嗜好にあった音声で視聴できる上記パラメータの設定が異なる。したがって、ユーザは視聴するコンテンツのジャンルに応じてパラメータの設定を変更しなければならず、使い勝手が良くないという問題があった。
【０００９】
この発明の目的は、５．１チャンネルの音声信号を２チャンネルの音声信号にダウンミキシングするときに用いるパラメータの設定にかかる操作を簡略化し、且つ使い勝手を向上させた音声信号処理装置を提供することにある。
【００１０】
【課題を解決するための手段】
この発明の音声信号処理装置は、上記課題を解決するために以下の構成を備えている。
【００１１】
（１）本体に入力された５．１チャンネルのディジタル音声信号を処理する音声信号処理部と、
本体から出力する音声信号のチャンネル数を５．１チャンネル、または２チャンネルのいずれかに設定する設定手段と、を備え、
上記音声信号処理部は、５．１チャンネルの音声信号を２チャンネルの音声信号にダウンミキシングするダウンミキシング機能を有し、上記設定手段により設定された本体から出力する音声信号のチャンネル数が２チャンネルである場合、このダウンミキシング機能でダウンミキシングした２チャンネルの音声信号を出力する音声信号処理装置において、
上記音声信号処理部は、上記設定手段により設定された本体から出力する音声信号のチャンネル数が２チャンネルである場合、２チャンネルの音声信号を３系統出力し、
上記３系統の２チャンネルの音声信号について、上記ダウンミキシング機能が５．１チャンネルの音声信号を２チャンネルの音声信号にダウンミキシングするときに用いるパラメータを個別に設定するパラメータ設定手段を備えている。
【００１２】
この構成では、５．１チャンネルのディジタル音声信号を２チャンネルの音声信号にダウンミキシングして出力するときに、２チャンネルの音声信号を３系統出力する。また、この３系統の２チャンネルの音声信号については、ダウンミキシングの際に用いるパラメータが設定手段により個別に設定されている。したがって、音質が異なる３系統の２チャンネルの音声信号を出力させることができる。これにより、ユーザが自分の嗜好にあった２チャンネルの音声信号が得られるように、上記パラメータを設定する際に、異なるパラメータでダウンミキシングした音声を簡単に聞き比べることができ、このパラメータの設定にかかる手間が大幅に削減される。よって、ユーザの使い勝手の向上が図れる。
【００１３】
また、音声信号処理部は、５．１チャンネルの音声信号が出力できる構成であるので、ハード構成を変更することなく２チャンネルの音声信号を３系統出力することができる。したがって、本体のコストアップも抑えられる。
【００１４】
（２）上記３系統の２チャンネルの音声信号の中から、いずれかの音声信号の選択を受け付け、選択された系統の２チャンネルの音声信号を出力端子に出力する選択手段を備えている。
【００１５】
この構成では、ダウンミキシングされた３系統の２チャンネルの音声信号の中から、本体外部に出力する２チャンネルの音声信号を選択できるようにしたので、音楽、映画等、コンテンツのジャンルに応じて各系統のパラメータを設定しておくことにより、視聴するコンテンツのジャンルの変化に対して、従来のようにパラメータの設定変更を行う必要がなく、ユーザの使い勝手を大幅に向上させることができる。
【００１６】
（３）上記３系統の２チャンネルの音声信号について、個別に上記ダウンミキシング機能を設けた。
【００１７】
この構成によれば、３系統の２チャンネルの音声信号間における、ダウンミキシング処理時間のずれを防止できる。
【００１８】
【発明の実施の形態】
以下、この発明の実施形態である音声信号処理装置について説明する。
【００１９】
図１は、この発明の実施形態である音声信号処理装置を示す図である。この実施形態の音声信号処理装置１は、ディジタルテレビ放送を受信するＳＴＢ（Ｓｅｔ  Ｔｏｐ  Ｂｏｘ）や、ＤＶＤを再生するＤＶＤプレイヤ等に適用される。この実施形態の音声信号処理装置１には、ドルビーディジタル５．１ｃｈ（５．１ｃｈのディジタルサラウンド）のディジタル音声信号が入力される。このディジタル音声信号は、ＳＴＢの場合であれば受信したディジタルテレビ放送信号から抽出された音声信号であり、ＤＶＤプレイヤの場合であれば本体にセットされているＤＶＤから読み取った音声信号である。
【００２０】
音声信号処理装置１は、５．１ｃｈの音声信号の出力が選択されている場合、入力されたディジタル音声信号から各チャンネルの音声信号を処理した、５．１ｃｈのアナログ音声信号を１系統出力する。また、２ｃｈの音声信号の出力が選択されている場合、入力されたディジタル音声信号をダウンミキシングした２ｃｈのアナログ音声信号を３系統出力する。
【００２１】
図２は、この実施形態の音声信号処理装置の構成を示すブロック図である。音声信号処理装置１は、音声信号抽出部２、ダウンミキシング部３、チャンネル毎に設けられた６つのＤＡＣ４ａ〜４ｆ、および５．１ｃｈの音声信号を出力する６つの出力端子ＦＲ、ＦＬ、ＲＲ、ＲＬ、Ｃ、ＳＷを備えている。各出力端子には、それぞれＤＡＣ４ａ〜４ｆが接続される。
【００２２】
５．１ｃｈの音声出力で視聴するユーザは、出力端子ＦＲ、ＦＬに正面左右に配置したスピーカを接続し、出力端子ＲＲ、ＲＬに後方左右に配置したスピーカに接続し、出力端子Ｃに正面に配置したセンタスピーカを接続し、出力端子ＳＷにサブウーファー用のスピーカを接続する。また、２ｃｈの音声出力で視聴するユーザは、出力端子ＦＲ、ＦＬにスピーカを接続する。
【００２３】
２ｃｈの音声信号が選択されている場合、▲１▼ＤＡＣ４ａ、４ｂ、▲２▼ＤＡＣ４ｃ、４ｄ、および▲３▼ＤＡＣ４ｅ、４ｆから、それぞれ２ｃｈの音声信号が３系統出力される。また、図２に示す５は。上記▲１▼〜▲３▼の２ｃｈの音声信号の中で、音声信号を出力端子ＦＲ、ＦＬに出力する音声信号を切り換える第１の切換部である。この第１の切換部５が、この発明で言う選択手段に相当する。
【００２４】
また、６ａ〜６ｅはオーディオアンプであり、７は音声信号抽出部２から出力された５，１ｃｈの音声信号を、直接ＤＡＣ４ａ〜４ｆに入力するか、ダウンミキシング部３に入力するかを切り換える第２の切換部である。サブウーファーの音声信号が出力されるチャンネルには、オーディオアンプが設けられていない。切換部５は、オーディオアンプ６ａ、６ｂに入力する音声信号（ＤＡＣ４ａ〜４ｆから出力された音声信号）を切り換える。この音声信号の切り換え操作は、この音声信号処理装置１を適用したＳＴＢや、ＤＶＤプレイヤの操作部において行えるように構成される。
【００２５】
音声信号抽出部２は、入力されたドルビーディジタル５．１ｃｈの音声信号について、チャンネル別に音声信号を抽出し、各チャンネルのデコードした音声信号を出力する。ダウンミキシング部３は、音声信号抽出部２においてチャンネル別に抽出された音声信号を、ステレオ２ｃｈの音声信号にダウンミキシングする。ダウンミキシング部３には、ダウンミキシングの際に用いるパラメータが３種類設定されている。ここでは、パラメータの３種類の設定を設定Ａ、設定Ｂ、設定Ｃとして以下説明する。このパラメータの設定は、この音声信号処理装置１を適用したＳＴＢや、ＤＶＤプレイヤの操作部においてユーザが自由に行えるように構成される。上記パラメータの設定により、センタスピーカの音声信号を大きめにして、セリフ等が聞き取りやすい２ｃｈの音声信号にダウンミキシングさせたり、サブウーファーの音声信号を大きめにして、重低音の迫力ある２ｃｈの音声信号にダウンミキシングさせることができる。
【００２６】
以下、この実施形態の音声信号処理装置の動作について説明する。
【００２７】
まず、５．１ｃｈの音声信号の出力が選択されている場合について説明する。音声信号抽出部２は、入力されたドルビーディジタル５．１ｃｈのディジタル音声信号から各チャンネルの音声信号を抽出し、デコードして出力する。このとき、第２の切換部７は、音声信号抽出部２から出力された５．１ｃｈの音声信号を直接ＤＡＣ４ａ〜４ｆに入力する状態（図２に示す状態）であり、ダウンミキシング部３には音声信号抽出部２で抽出された音声信号が入力されていない。
【００２８】
なお、５．１ｃｈが選択されているとき、ダウンミキシング部３は停止している。
【００２９】
また、第１の切換部５はＤＡＣ４ａ、４ｂの出力がオーディオアンプ６ａ、６ｂに入力される状態（図２に示す状態）である。音声信号抽出部２から出力された各チャンネルのディジタル音声信号は、対応するＤＡＣ４ａ〜４ｆに入力され、アナログ音声信号に変換されて出力端子ＦＲ、ＦＬ、ＲＲ、ＲＬ、Ｃ、ＳＷから出力される。したがって、出力端子ＦＲ、ＦＬ、ＲＲ、ＲＬ、Ｃ、ＳＷに、それぞれスピーカを接続しているユーザは、５．１ｃｈのサラウンドを楽しむことができる。
【００３０】
なお、サブウーファーの音声信号以外は、オーディオアンプ６ａ〜６ｅで増幅されて、出力端子ＦＲ、ＦＬ、ＲＲ、ＲＬ、Ｃに出力されている。
【００３１】
次に、２ｃｈの音声信号の出力が選択されている場合について説明する。音声信号抽出部２は、入力されたドルビーディジタル５．１ｃｈのディジタル音声信号から各チャンネルの音声信号を抽出し、デコードして出力する。このとき、第２の切換部は、音声信号抽出部２から出力された５，１ｃｈの音声信号をダウンミキシング部３に入力する状態（図３〜図５に示す状態）である。第１の切換部５の状態については後述する。
【００３２】
ダウンミキシング３は、入力された５．１ｃｈの音声信号について、３種類の設定Ａ、設定Ｂ、設定Ｃに基いて、ダウンミックスした２チャンネルの音声信号を３系統生成する。設定Ａに基く２チャンネルの音声信号は、ＤＡＣ４ａ、４ｂに入力され、設定Ｂに基く２チャンネルの音声信号は、ＤＡＣ４ｃ、４ｄに入力され、設定Ｃに基く２チャンネルの音声信号は、ＤＡＣ４ｅ、４ｆに入力される。したがって、▲１▼ＤＡＣ４ａ、４ｂ、▲２▼ＤＡＣ４ｃ、４ｄ、および▲３▼ＤＡＣ４ｅ、４ｆから、それぞれ２ｃｈの音声信号が３系統出力される。
【００３３】
音声信号処理装置１は、設定Ａが選択されている場合、第１の切換部５を、ＤＡＣ４ａ、４ｂの出力がオーディオアンプ６ａ、６ｂに入力される状態（図３に示す状態）にする。また、設定Ｂが選択されている場合、第１の切換部５を、ＤＡＣ４ｃ、４ｄの出力がオーディオアンプ６ａ、６ｂに入力される状態（図４に示す状態）にする。また、設定Ｃが選択されている場合、第１の切換部５を、ＤＡＣ４ｄ、４ｅの出力がオーディオアンプ６ａ、６ｂに入力される状態（図５に示す状態）にする。設定Ａ、設定Ｂ、設定Ｃの選択は、音声信号処理装置１を適用した装置（ＳＴＢやＤＶＤプレイヤ）の操作部でユーザが自由に行える。
【００３４】
したがって、２ｃｈの音声出力で使用する場合、ダウンミキシングの際に用いられるパラメータを３種類（設定Ａ、設定Ｂ、設定Ｃ）設定し、選択を切り換えるだけで、設定Ａ、設定Ｂ、設定Ｃによる２ｃｈの音声を聞き比べることができるので、自分の嗜好にあった音質が得られるパラメータの設定の確認が簡単に行える。
【００３５】
また、音楽、映画等、コンテンツのジャンル別にダウンミキシングの際に用いられるパラメータ（設定Ａ、設定Ｂ、設定Ｃ）を設定しておけば、コンテンツの種類に応じて選択を切り換えるだけでよく、従来のように視聴するコンテンツのジャンルに応じてパラメータの設定を変更する必要がなく、使い勝手を向上させることができる。
【００３６】
さらに、ハード的には、第１の切換部５を設けるだけで構成できるので、本体のコストアップも殆ど生じない。
【００３７】
また、ダウンミキシング部３は、タスク処理で３系統の２ｃｈの音声信号を生成する構成であってもよいし、３系統の２ｃｈの音声信号別にダウンミックスを行う構成であってもよい。３系統の２ｃｈの音声信号別にダウンミックスを行う構成とすれば、各系統の２ｃｈの音声信号のずれをなくすことができる。
【００３８】
なお、２ｃｈの音声信号が選択されているときには、出力端子ＲＲ、ＲＬ、および出力端子Ｃ、ＳＷでは、第１の切換部５の状態に関係なく、２ｃｈの音声信号が出力されているので、第１の切換部５が図３に示す状態であるとき、同時にダウンミキシングの際に用いたパラメータが異なる２ｃｈの音声信号を３系統出力している。ユーザは、必要に応じて、出力端子ＲＲ、ＲＬ、および出力端子Ｃ、ＳＷから出力されている２ｃｈの音声信号を利用することも可能である。
【００３９】
【発明の効果】
以上のように、この発明によれば、異なるパラメータ設定でダウンミキシングした２ｃｈの音声信号を３系統出力させることができるので、２ｃｈの音声を聞き比べて、自分の嗜好にあった音質が得られるパラメータを簡単に確認できる。
【００４０】
また、、音楽、映画等、コンテンツのジャンル別にダウンミキシングの際に用いられるパラメータを設定しておくことが可能となり、コンテンツの種類に応じて選択を切り換えるだけで、自分の嗜好にあった音声での視聴が行え、ユーザの使い勝手を向上させることができる。
【図面の簡単な説明】
【図１】この考案の実施形態である音声信号処理装置を示す図である。
【図２】この考案の実施形態である音声信号処理装置の構成を示すブロック図である。
【図３】この考案の実施形態である音声信号処理装置の構成を示すブロック図である。
【図４】この考案の実施形態である音声信号処理装置の構成を示すブロック図である。
【図５】この考案の実施形態である音声信号処理装置の構成を示すブロック図である。
【符号の説明】
１−音声信号処理装置
２−音声信号抽出部
３−ダウンミキシング部
４ａ〜４ｆ−ＤＡＣ
５−第１の切換部
６ａ〜６ｅ−オーディオアンプ
７−第２の切換部
【図１】
2004241853.tif 000003
【図２】
2004241853.tif 000004
【図３】
2004241853.tif 000005
【図４】
2004241853.tif 000006
【図５】
2004241853.tif 000007